(57)【要約】【課題】ベッドから便座装置へと円滑に移乗可能な椅子型便座装置を提供する。【解決手段】便座装置１は、排泄物をフィルムＦに密封するフィルムユニット３０と、フィルムユニット３０を支持し、床面に載置可能な支持体４０と、支持体４０に支持されたフィルムユニット３０の上面を覆い、排泄物が前記フィルムユニット３０へと通過する開口５５ｃを有する便座５５と、使用者が便座５５に着座した状態において使用者を左右方向に挟むように配置され、それぞれ、便座装置本体に対して着脱可能なひじ掛け５３、５４と、を備える。【選択図】図８
2015198899.tif 000002
【特許請求の範囲】
【請求項１】
フィルムにより排泄物を密封するフィルム密封式便座装置において、
排泄物をフィルムに密封するフィルムユニットと、
前記フィルムユニットを支持し、床面に載置可能な支持体と、
前記支持体に支持された前記フィルムユニットの上面を覆い、排泄物が前記フィルムユニットへと通過する開口を有する便座部と、
使用者が前記便座部に着座した状態において前記使用者を左右方向に挟むように配置され、それぞれ、便座装置本体に対して着脱可能な手すりと、を備える、
ことを特徴とするフィルム密封式便座装置。
【請求項２】
請求項１に記載のフィルム密封式便座装置において、
前記手すりは、下方に延びる軸を備え、
前記便座装置本体は、前記軸が挿入される孔を備え、
前記軸を前記孔に挿入することにより、前記手すりが前記便座装置本体に装着される、
ことを特徴とするフィルム密封式便座装置。
【請求項３】
請求項２に記載のフィルム密封式便座装置において、
前記手すりの幅方向の中央位置に対して幅方向に対称な位置にそれぞれ前記軸が配置されている、
ことを特徴とするフィルム密封式便座装置。
【請求項４】
請求項１ないし３の何れか一項に記載のフィルム密封式便座装置において、
前記手すりを前記便座装置本体から取り外すと、前記便座装置本体の前記便座部が配置された面が、略一つの平面となっている、
ことを特徴とするフィルム密封式便座装置。
【請求項５】
請求項１ないし４の何れか一項に記載のフィルム密封式便座装置において、
前記手すりは、前記便座装置本体の左右の上端部と略同じ幅を有する矩形形状の不透明部材からなっている、
ことを特徴とするフィルム密封式便座装置。
【請求項６】
請求項５に記載のフィルム密封式便座装置において、
前記便座部の後部に上方向に延びるように設けられ、使用者が前記便座部に座った状態において前記使用者の背中を支えることが可能な背もたれを備え、
使用者が前記便座部に座った状態において、前記使用者の周囲が前記手すりと前記背もたれによって覆われる、
ことを特徴とするフィルム密封式便座装置。
【請求項７】
請求項１ないし６の何れか一項に記載のフィルム密封式便座装置において、
前記手すりは、弾性を有する素材により構成され、
前記手すりの上部に手すりの厚み方向に凹んだ凹部が形成されている、
ことを特徴とするフィルム密封式便座装置。
【請求項８】
請求項２ないし７の何れか一項に記載のフィルム密封式便座装置において、
前記手すりが取り付けられた状態において、前記軸を前記孔に挿入させることができ、且つ、前記手すりが取り外された状態において、前記孔を塞ぐことが可能な孔塞ぎ部材を備える、
ことを特徴とするフィルム密封式便座装置。
【請求項９】
請求項８に記載のフィルム密封式便座装置において、
前記便座装置本体には、前記孔塞ぎ部材を嵌め込むための凹部が形成されている、
ことを特徴とするフィルム密封式便座装置。
【請求項１０】
請求項９に記載のフィルム密封式便座装置において、
前記凹部には、切り欠きが形成されている、
ことを特徴とするフィルム密封式便座装置。
【請求項１１】
請求項８ないし１０の何れか一項に記載のフィルム密封式便座装置において、
前記孔塞ぎ部材には、軸孔が形成されている、
ことを特徴とするフィルム密封式便座装置。
【請求項１２】
請求項１１の何れか一項に記載のフィルム密封式便座装置において、
前記軸孔は、第１の軸孔と第２の軸孔を含み、
前記第１、第２の軸孔は、それぞれ、前記孔塞ぎ部材の中心から異なる距離だけ離れた位置に配されている、
ことを特徴とするフィルム密封式便座装置。
【発明の詳細な説明】
【技術分野】
【０００１】
本発明は、樹脂製のフィルムにより収容物を密封するフィルム密封式便座装置に関する。
【背景技術】
【０００２】
従来、フィルム中に排泄物や汚物等を密封する密封式便座装置が知られている（たとえば、特許文献１）。この種の便座装置では、排泄物や汚物等が通る通路にフィルムが配され、所定の送り機構によって、フィルムが下方に送られる。
【０００３】
排泄の際には、フィルム内に汚物が収容された状態で、フィルムの上部が溶着され、フィルム内に汚物が密封される。このとき、同時に、この溶着位置よりもやや上の位置でフィルムが溶着されて、フィルムに、次の汚物を収容するための底が形成される。また、これら２つの溶着位置の中間部分が切断されて、汚物を密封したフィルムが切り離される。
【先行技術文献】
【特許文献】
【０００４】
【特許文献１】特開２００７−１１７２８４号公報
【発明の概要】
【発明が解決しようとする課題】
【０００５】
上記構成の便座装置では、排泄物をフィルムに密封する機構部が、床面に載置可能な本体部に装着される構成が用いられ得る。このように、便座装置を、適宜、所望の場所に持ち運び可能とすることにより、便座装置の利便性および多様性を高めることができる。
【０００６】
このような構成の便座装置では、たとえば、使用者が被介護者であるような場合、ベッドから便座装置へと円滑に移乗できることが求められる。たとえば、便座装置をベッドに横付けした状態で、使用者がベッドから円滑に移乗できることが望ましい。
【０００７】
本発明は、ベッドから便座装置へと円滑に移乗可能な椅子型便座装置を提供することを目的とする。
【課題を解決するための手段】
【０００８】
本発明の主たる態様は、フィルムにより排泄物を密封するフィルム密封式便座装置に関する。この態様に係るフィルム密封式便座装置は、排泄物をフィルムに密封するフィルムユニットと、前記フィルムユニットを支持し、床面に載置可能な支持体と、前記支持体に支持された前記フィルムユニットの上面を覆い、排泄物が前記フィルムユニットへと通過する開口を有する便座部と、使用者が前記便座部に着座した状態において前記使用者を左右方向に挟むように配置され、それぞれ、便座装置本体に対して着脱可能な手すりと、を備える。
【０００９】
本態様に係るフィルム密封式便座装置によれば、手すりが設けられているため、使用者は、手すりを持って体を支えながら、便座部へ移乗することができる。また、便座装置をベッドに横付けした場合には、ベッド側の手すりを外すことにより、ベッドから便座部への移乗経路が確保され、使用者は、この移乗経路に沿ってベッドから便座部へと体を移すことができる。こうして、使用者は、ベッドから便座装置へと円滑に移乗することができる。
【００１０】
本態様に係るフィルム密封式便座装置において、前記手すりは、下方に延びる軸を備え、前記便座装置本体は、前記軸が挿入される孔を備え、前記軸を前記孔に挿入することにより、前記手すりが前記便座装置本体に装着されるよう構成され得る。こうすると、簡素な構成により、手すりを容易に着脱することができる。
【００１１】
この場合、前記手すりの幅方向の中央位置に対して幅方向に対称な位置にそれぞれ前記軸が配置されることが望ましい。こうすると、手すりが表裏逆となるように軸が孔に差し込まれた場合にも、便座装置本体に対する手すりの相対位置が変わることがない。よって、便座装置本体に対して常に同じ状態で手すりを装着することができる。
【００１２】
本態様に係るフィルム密封式便座装置は、前記手すりを前記便座装置本体から取り外すと、前記便座装置本体の前記便座部が配置された面が、略一つの平面となるよう構成され得る。このように、便座装置本体の上面を起伏のない略一つの平面に構成すると、使用者が臀部をベッドから便座部にスライドさせる際に、臀部が便座装置本体の上面の起伏に引っ掛かることがない。よって、使用者は、臀部をスライドさせながら、ベッドから便座装置へと円滑に移乗することができる。
【００１３】
本態様に係るフィルム密封式便座装置において、前記手すりは、前記便座装置本体の左右の上端部と略同じ幅を有する矩形形状の不透明部材から構成され得る。こうすると、使用者が便座部に着座した状態において、使用者の臀部の左右の部分が手すりによって隠される。よって、便座装置を使用する際の使用者のプライバシーを保護することができる。
【００１４】
なお、フィルム密封式便座装置に背もたれが設けられる場合、フィルム密封式便座装置は、使用者が前記便座部に座った状態において、前記使用者の周囲が前記手すりと前記背もたれによって覆われるよう構成されることが望ましい。こうすると、使用者が便座部に着座した状態において、使用者の臀部が、左右と後ろの３方から隠される。これにより、便座装置を使用する際の使用者のプライバシーをさらに保護することができる。
【００１５】
本態様に係るフィルム密封式便座装置において、前記手すりは、弾性を有する素材により構成され、前記手すりの上部に手すりの厚み方向に凹んだ凹部が形成されることが望ましい。こうすると、手すりが握りやすくなり、手すりの着脱が容易になる。
【００１６】
なお、手すりは、ウレタン等の水が染み込まない素材により構成されることが望ましい。こうすると、手すりを便座装置本体から取り外して容易に洗浄することができる。
【００１７】
本態様に係るフィルム密封式便座装置において、前記手すりが取り付けられた状態において、前記軸を前記孔に挿入させることができ、且つ、前記手すりが取り外された状態において、前記孔を塞ぐことが可能な孔塞ぎ部材を備えるよう構成され得る。こうすると、手すりを取り外した際に孔塞ぎ部材によって、孔が塞がれるため、使用者は、指が孔に嵌り込むことなく、円滑にベッドから便座装置に移乗することができる。
【００１８】
本態様に係るフィルム密封式便座装置において、前記便座装置本体には、前記孔塞ぎ部材を嵌め込むための凹部が形成されているよう構成され得る。こうすると、孔塞ぎ部材の厚みによる凹凸の発生が抑制され、使用者は、違和感なく円滑にベッドから便座装置に移乗することができる。
【００１９】
この場合、前記凹部には、切り欠きが形成されていることが望ましい。こうすると、使用者は、指を切り欠きに挿し込むことによって、容易に孔塞ぎ部材を凹部から取り外すことができる。
【００２０】
本態様に係るフィルム密封式便座装置において、前記孔塞ぎ部材には、軸孔が形成されているよう構成され得る。こうすると、手すりが取り付けられた状態においても、孔塞ぎ部材を便座装置本体から取り外す必要がなく、孔塞ぎ部材が紛失する可能性を抑えることができる。
【００２１】
この場合、前記軸孔は、第１の軸孔と第２の軸孔を含み、前記第１、第２の軸孔は、それぞれ、前記孔塞ぎ部材の中心から異なる距離だけ離れた位置に配されることが望ましい。こうすると、軸が挿入される孔を塞ぎつつ、孔塞ぎ部材を裏返すことによって、孔塞ぎ部材の軸孔と便座装置本体の軸が挿入される孔を整合させることができる。
【発明の効果】
【００２２】
以上のとおり、本発明によれば、ベッドから便座装置へと円滑に移乗可能な椅子型便座装置を提供することができる。
【００２３】
本発明の効果ないし意義は、以下に示す実施の形態の説明により更に明らかとなろう。ただし、以下に示す実施の形態は、あくまでも、本発明を実施化する際の一つの例示であって、本発明は、以下の実施の形態により何ら制限されるものではない。
【図面の簡単な説明】
【００２４】
【図１】実施の形態に係る構成体と、フィルム収容ガイドと、枠の構成を示す斜視図である。
【図２】実施の形態に係るフィルムユニットの構成を示す斜視図、フィルムの外観を示す模式図、および、フィルムユニットにセットされたフィルムを示す模式図である。
【図３】実施の形態に係る支持体の構成を示す分解斜視図である。
【図４】実施の形態に係るフィルムユニットと支持体の構成を示す斜視図である。
【図５】実施の形態に係る座面枠と、背もたれと、ひじ掛けの構成を示す斜視図である。
【図６】実施の形態に係るひじ掛けの一部を構成する平板の正面図および断面図、並びに、実施の形態に係るひじ掛けの一部を構成する軸と橋部の正面図および側面図である。
【図７】実施の形態に係る構成体と便座の構成を示す斜視図である。
【図８】実施の形態に係る構成体とカバーの構成を示す斜視図である。
【図９】実施の形態に係るカバーの構成を示す斜視図である。
【図１０】実施の形態に係る組み立てが完了した便座装置の構成を示す斜視図である。
【図１１】実施の形態に係るフィルム送り機構とシール機構の構成を示す斜視図である。
【図１２】実施の形態に係る排泄処理時におけるフィルムユニットの動作を説明する図である。
【図１３】実施の形態に係る排泄処理時におけるフィルムユニットの動作を説明する図である。
【図１４】実施の形態に係るベッドに横付けされた状態の便座装置の使用例を示す図である。
【図１５】実施の形態に係る便座装置の断面図である。
【図１６】変更例に係る便座装置の構成を示す斜視図である。
【図１７】変更例に係る便座装置の構成を示す斜視図である。
【図１８】変更例に係るベッドに横付けされた状態の便座装置の構成を示す斜視図である。
【図１９】変更例に係る便座装置の構成を示す斜視図である。
【図２０】変更例に係る便座装置の構成を示す斜視図および孔塞ぎ部材を示す断面図である。
【図２１】変更例に係るベッドに横付けされた状態の便座装置の構成を示す斜視図である。
【図２２】変更例に係る便座装置の構成を示す斜視図および孔塞ぎ部材を示す断面図である。
【図２３】変更例に係るベッドに横付けされた状態の便座装置の構成を示す斜視図である。
【図２４】変更例に係る便座装置の構成を示す斜視図である。
【図２５】変更例に係る便座装置の構成を示す斜視図である。
【図２６】変更例に係るベッドに横付けされた状態の便座装置の構成を示す斜視図である。
【図２７】変更例に係る孔塞ぎ部材と切り欠きの構成を示す図である。
【発明を実施するための形態】
【００２５】
以下、本発明の実施の形態につき図面を参照して説明する。
【００２６】
以下に示す実施の形態において、便座装置１は、請求項に記載の「フィルム密封式便座装置」に相当する。便座装置１から背もたれ５２、ひじ掛け５３、５４およびカバー５６を取り外した構成体が、請求項に記載の「便座装置本体」に相当する。座面枠５１の水平部５１ａと便座５５は、請求項に記載の「便座部」に相当する。ひじ掛け５３、５４は、請求項に記載の「手すり」に相当する。ただし、上記請求項と本実施の形態との対応の記載は、あくまで一例であって、請求項に係る発明を本実施の形態に限定するものではない。
【００２７】
まず、図１〜図１０を参照して、本実施の形態に係る便座装置１の構成を組み立て手順に沿って説明する。便座装置１は、主に、介護施設の個室等、トイレ設備のない場所で用いられ、排泄物を樹脂製の筒状フィルムで密封（シール）することが可能な機構を有する。なお、本実施の形態の説明において参照する図面には、便宜上、互いに直交するＸ、Ｙ、Ｚ軸が示されている。Ｘ−Ｙ平面は、水平面に平行で、Ｚ軸方向は鉛直方向である。
【００２８】
図１は、メカ構成体１０と、フィルム収容ガイド２１と、枠２２の構成を示す斜視図である。
【００２９】
メカ構成体１０は、ベース１１と、機構部１２と、ガイド１３を備えている。ベース１１には、水平面に平行な上面１１ａと、ベース１１を上下方向に貫通する開口１１ｂが設けられている。機構部１２は、ベース１１の下面側に設置されており、ベース１１に設置された回路基板（図示せず）と接続されている。ガイド１３は、上面が水平面に対して傾いた状態となるよう、ベース１１の下面側に設置されている。なお、機構部１２は、フィルム送り機構１００とシール機構２００を備えている。フィルム送り機構１００とシール機構２００の構成については、追って、図１１を参照して説明する。
【００３０】
フィルム収容ガイド２１は、平面視において、略楕円の形状を有する。フィルム収容ガイド２１には、略楕円形状の開口２１ａが形成されており、フィルム収容ガイド２１の内壁には、２つの孔２１ｂが形成されている。枠２２は、平面視において、略楕円の形状を有する。枠２２には、略楕円形状の開口２２ａが形成されており、上面部２２ｂの裏側には、下側に延びる２つの板部２２ｃが形成されている。
【００３１】
組み立て時には、まず、ベース１１の上面１１ａに、フィルム収容ガイド２１が設置される。続いて、枠２２の板部２２ｃがフィルム収容ガイド２１の孔２１ｂに嵌め込まれることにより、枠２２がフィルム収容ガイド２１に装着される。こうして、図２（ａ）に示すフィルムユニット３０が完成する。フィルムユニット３０は、フィルムユニット３０にセットされたフィルムＦを密封（シール）する機能を有する。
【００３２】
図２（ｂ）、（ｃ）は、それぞれ、フィルムＦの外観を示す模式図と、フィルムユニット３０にセットされたフィルムＦを示す模式図である。
【００３３】
フィルムＦは、樹脂製の筒状フィルムであり、筒形状の外周方向に予め折り畳まれている。フィルムユニット３０にフィルムＦがセットされる場合、枠２２がフィルム収容ガイド２１から取り外され、フィルムＦが、フィルム収容ガイド２１に上方から嵌め込まれる。その後、枠２２がフィルム収容ガイド２１に装着され、フィルムＦが枠２２の下側に位置付けられる。そして、フィルムＦの端部が上方向に引き出され、枠２２の開口２２ａとフィルム収容ガイド２１の開口２１ａに対して、下方向に通される。その後、開口２１ａ、２２ａに通されたフィルムＦの端部が、さらに、ベース１１の開口１１ｂに挿入され、機構部１２に取り付けられる。こうして、図２（ｃ）に示すように、フィルムユニット３０にフィルムＦがセットされる。
【００３４】
なお、実使用時には、図１０に示すように便座装置１が組み立てられた後に、フィルムＦのセットが行われる。すなわち、便座装置１からカバー５６と便座５５が外された状態（図７参照）で、開口５１ｄから露出するフィルムユニット３０に対して、上記のように、フィルムＦがセットされる。
【００３５】
図３（ａ）は、フレーム４１の構成を示す斜視図であり、図３（ｂ）、（ｃ）は、支持部４２およびスイッチ４３の構成を示す斜視図であり、図３（ｄ）は、脚部４４の構成を示す斜視図であり、図３（ｅ）は、化粧板４５の構成を示す斜視図である。
【００３６】
図３（ａ）を参照して、フレーム４１は、背面部４１ａと、２つの側面部４１ｂ、を備える。背面部４１ａと２つの側面部４１ｂは、背面部４１ａを挟むようにして一体的に形成されている。背面部４１ａと２つの側面部４１ｂの接続部分は、ヒンジとなっており、背面部４１ａと、２つの側面部４１ｂが直線上に並ぶように２つの側面部４１ｂを広げることができる。背面部４１ａのＹ軸負側の面には、略方形状の２つの凹部４１ｃと、Ｘ軸方向に延びる溝４１ｄが形成されている。２つの側面部４１ｂには、それぞれ、２つの円形の孔４１ｅが形成されている。孔４１ｅは、上面側の入口に大径部が設けられ、その奥に、小径部が設けられている。小径部の径は大径部の径よりも小さい。小径部は、奥に向かうにつれて徐々に径が小さくなる傾斜面を介して大径部に繋がっている。側面部４１ｂ上面に形成された２つの孔４１ｅは、側面部４１ｂの前後方向（Ｙ軸方向）の中央位置に対して前後方向（Ｙ軸方向）に対称な位置に配置されている。
【００３７】
Ｘ軸正側の側面部４１ｂには、Ｘ軸負側の面にＹ軸方向に延びる溝４１ｆと、凹部４１ｇが形成されている。Ｘ軸負側の側面部４１ｂにも、Ｘ軸正側の面に同様にＹ軸方向に延びる溝と、凹部が形成されている（図示せず）。凹部４１ｇは、１つの角が欠けた長方形の形状を有する。凹部４１ｇは、長辺がＺ軸方向から前側にやや傾くように形成されている。凹部４１ｇの奥には、ネジ孔が形成されている。Ｘ軸負側の側面部４１ｂには、脚装着部４１ｈが形成されている。また、Ｘ軸正側の側面部４１ｂにも同様の脚装着部が形成されている（図示せず）。脚装着部４１ｈには、脚部４４のＺ軸方向の高さ位置を決める窪み４１ｉがＺ軸方向に所定の間隔で並ぶように形成されている。また、脚装着部４１ｈには、多数のネジ穴４１ｊが形成されている。
【００３８】
また、Ｘ軸負側の脚装着部４１ｈには、孔４１ｅのＺ軸負側に凹部４１ｋが設けられている。後述のように、孔４１ｅにひじ掛け５４の軸５４ｂ（図５（ｅ）参照）がＺ軸正側から通されると、軸５４ｂが凹部４１ｋに嵌り込む。凹部４１ｋは、Ｚ軸負側が先細りとなっている。また、凹部４１ｋのＹ軸正側の側面とＹ軸負側の側面には、それぞれ、円弧状の側面を有する突起４１ｌが、３個ずつ、互いに対向するように設けられている。孔４１ｅを介して凹部４１ｋに軸５４ｂが挿入されると、互いに対向する突起４１ｌによって軸５４ｂがＹ軸方向に挟まれる。また、後述のように脚部４４が脚装着部４１ｈに設置されることにより、軸５４ｂは、凹部４１ｋの底面（Ｘ軸正側の内側面）と脚部４４の脚連結板４４ｂによって、Ｘ軸方向に挟まれる。ひじ掛け５４の下面がＸ軸負側の側面部４１ｂの上面に僅かな隙間で対向する位置まで軸５４ｂが孔４１ｅに挿入されると、軸５４ｂの先端が凹部４１ｋのＺ軸負側の側面に当接する。Ｘ軸正側の脚装着部にも、同様に、凹部が設けられ、この凹部の内側面に突起が設けられている。
【００３９】
図３（ｂ）、（ｃ）を参照して、支持部４２は、底板４２ａと、前面部４２ｂと、２つの梁部４２ｃとを備える。底板４２ａのＸ軸方向の幅は、フレーム４１の２つの側面部４１ｂの間の幅よりも僅かに小さい。底板４２ａには、上下方向に貫通する開口４２ｄが形成されている。前面部４２ｂは、Ｚ軸方向に見て円弧形状となっている。前面部４２ｂの上端は、下端よりもややＹ軸負側に位置付けられている。すなわち、前面部４２ｂは、Ｚ軸正方向から前側に所定の角度で傾いている。前面部４２ｂのＺ軸方向の高さは、フレーム４１の側面部４１ｂのＺ軸方向の高さよりも低い。前面部４２ｂの内側面の中央には、凹部４２ｅが形成されており、凹部４２ｅには、Ｙ軸方向に貫通する開口４２ｆが形成されている。
【００４０】
スイッチ４３は、フィルムユニット３０の動作させるための入力部である。スイッチ４３は、操作面を押し込むことで操作が検出されるプッシュ型スイッチからなっている。スイッチ４３の操作部のＸ軸方向およびＹ軸方向の幅は、開口４２ｆよりも小さい。スイッチ４３は、先端の操作部が開口４２ｆに通され、スイッチ４３の後部に接続された回路基板（図示せず）が凹部４２ｅに嵌め込まれる。このとき、スイッチ４３の操作部の表面（操作面）は、前面部４２ｂの表面よりも僅かにＹ軸負側に位置付けられている。また、前面部４２ｂのＸ軸正側、負側の側面には、それぞれ、フレーム４１の凹部４１ｇと係合する段部４２ｇが形成されている。段部４２ｇには、それぞれ、隅にネジ孔が形成されている。
【００４１】
図３（ｄ）を参照して、脚部４４は、４本の脚４４ａと、Ｘ軸負側の２本の脚４４ａ、および、Ｘ軸正側の２本の脚４４ａを、それぞれ、連結する２つの脚連結板４４ｂを備える。脚４４ａと脚連結板４４ｂは、ネジ４４ｃによって固定されている。脚４４ａの裏面には、それぞれ、２つの凸部４４ｄが形成されている。
【００４２】
図３（ｅ）を参照して、化粧板４５は、略長方形の薄板の形状を有する。化粧板４５には、複数のネジ孔が形成されている。
【００４３】
組み立て時には、まず、２つの側面部４１ｂをやや外側に広げた状態で、底板４２ａのＹ軸正側の端部がフレーム４１の溝４１ｄに嵌め込まれ、同時に、梁部４２ｃのＹ軸負側の端部がフレーム４１の凹部４１ｃに嵌め込まれる。この状態で、Ｘ軸正側の側面部４１ｂがＸ軸負側に閉じられる。これにより、Ｘ軸正側の側面部４１ｂの溝４１ｆに底板４２ａのＸ軸正側の端部が嵌り、また、Ｘ軸正側の側面部４１ｂの凹部４１ｇに前面部４２ｂのＸ軸正側の段部４２ｇに嵌まる。同様にして、Ｘ軸負側の側面部４１ｂの溝に底板４２ａのＸ軸負側の端部が嵌め込まれ、Ｘ軸負側の側面部４１ｂの凹部に前面部４２ｂのＸ軸負側の段部４２ｇが嵌め込まれる。この状態で、段部４２ｇに形成されたネジ孔を介して脚装着部４１ｈに形成されたネジ穴にネジが螺着される。これにより、支持部４２がフレーム４１に装着される。
【００４４】
次に、脚４４ａの裏面に形成された凸部４４ｄがフレーム４１の脚装着部４１ｈに設けられた窪み４１ｉに嵌め込まれ、脚部４４のＺ軸方向の高さ位置が決められる。そして、脚連結板４４ｂに設けられたネジ孔４４ｅを介して、脚装着部４１ｈに設けられたネジ穴４１ｊにネジが螺着される。これにより、脚部４４がフレーム４１に固定される。脚部４４がフレーム４１の脚装着部４１ｈに装着された状態で化粧板４５が側面部４１ｂにネジにより固定される。こうして、図４に示す支持体４０が完成する。
【００４５】
図４は、支持体４０の構成を示す斜視図である。
【００４６】
図４に示すように、フレーム４１と、円弧状に湾曲した前面部４２ｂによって底板４２ａが支えられ、さらに、フレーム４１が脚４４ａによって支えられることにより、開口４２ｄの下側に大きなスペースが生じる。これにより、このスペースに、後述のようにして密封されたフィルムＦを回収するための箱等を設置することができる。
【００４７】
組み立て時には、フィルムユニット３０が凹部４０ａに嵌め込まれるように、フィルムユニット３０が支持体４０に設置される。そして、スイッチ４３の回路基板と、フィルムユニット３０の回路基板とが電気的に接続される。
【００４８】
フレーム４１と前面部４２ｂは、２つの梁部４２ｃより接続されているため、フィルムユニット３０の荷重による負荷が分散される。これにより、支持体４０の耐久性を高めることができる。
【００４９】
図５（ａ）は、座面枠５１の構成を示す斜視図であり、図５（ｂ）、（ｃ）は、背もたれ５２の構成を示す斜視図であり、図５（ｄ）、（ｅ）は、それぞれ、ひじ掛け５３、５４の構成を示す斜視図である。
【００５０】
図５（ａ）を参照して、座面枠５１は、水平面に平行な水平部５１ａと、Ｘ―Ｙ平面に略垂直な背面部５１ｂを有している。背面部５１ｂの上端は、角が面取りされており、丸みを帯びた形状を有している。また、背面部５１ｂの上端の裏面は、背面部５１ｂの背面から上部がＹ軸負側に傾くように傾斜している。こうして、背面部５１ｂの上部は、先細りの形状となっている。
【００５１】
水平部５１ａには、水平部５１ａの上面よりも一段低い凹部５１ｃが形成されており、凹部５１ｃには、水平部５１ａを上下方向に貫通する略楕円形状の開口５１ｄが形成されている。また、水平部５１ａの上面には、円形の凹部５１ｅが２つ形成されている。また、凹部５１ｃの上面には、略円形に窪んだ係合部５１ｆが２つ形成されている。背面部５１ｂには、背面部５１ｂをＹ軸方向に貫通する開口５１ｇが形成されている。
【００５２】
図５（ｂ）を参照して、背もたれ５２は、クッション性のある材質で形成されている。背もたれ５２は、座面枠５１の開口５１ｇよりも大きい。背もたれ５２には、鍔部５２ａが形成されている。鍔部５２ａの下面には、図５（ｃ）に示すように、背面部５１ｂの上端が嵌り込む凹部５２ｂが形成されている。背面部５１ｂの上端を凹部５２ｂに嵌め込むようにして、背もたれ５２を背面部５１ｂに掛ける。背もたれ５２の下端は、Ｘ軸方向に見て円弧形状となっており、水平部５１ａと背面部５１ｂとの境界付近は、背もたれ５２の下端の形状と対応するように、Ｘ軸方向に見て円弧形状となっている。
【００５３】
図５（ｄ）を参照して、ひじ掛け５３は、平板５３ａと２本の軸５３ｂを有している。軸５３ｂは、円柱形状を有し、平板５３ａの下面から下方向に突出している。軸５３ｂの径は、フレーム４１の側面部４１ｂに設けられた孔４１ｅ（図４参照）の小径部の径よりも僅かに小さい。２本の軸５３ｂは、平板５３ａの幅方向（Ｙ軸方向）の中央位置に対して幅方向（Ｙ軸方向）に対称な位置に配置されている。ひじ掛け５３は、Ｙ軸方向に対称な形状を有し、且つ、Ｘ軸方向に対称な形状を有する。平板５３ａのＸ軸正側とＸ軸負側の面の上部には、それぞれ、Ｙ軸方向に見て円弧形状の凹部５３ｃが形成されている。図５（ｅ）を参照して、ひじ掛け５４は、ひじ掛け５３と同様の構成となっており、平板５４ａと、２本の軸５４ｂと、凹部５４ｃを有している。
【００５４】
図６（ａ）は、平板５３ａの外観を示す正面図、図６（ｂ）は、図６（ａ）のＡ−Ａ’断面図である。図６（ｃ）は、軸５３ｂと橋部５３ｄの構成を示す正面図、図６（ｄ）は、図６（ｃ）の構成をＹ軸負方向に見た側面図である。
【００５５】
図６（ａ）、（ｂ）を参照して、平板５３ａは、角が丸く面取りされた長方形の輪郭を有し、４ｃｍ程度の厚みを有する板状部材からなっている。平板５３ａは、ウレタン等の弾性を有し、且つ、水が染み込まない素材からなっている。また、平板５３ａは、不透明な部材からなっている。平板５３ａのＹ軸方向の幅は、側面部４１ｂの上端部のＹ軸方向の幅と略同じである。平板５３ａの上部には、Ｙ軸方向に延びる深さ１ｃｍ程度の凹部５３ｃが形成されている。
【００５６】
図６（ｃ）、（ｄ）を参照して、２つの軸５３ｂは、断面が長方形の輪郭の中空の橋部５３ｄに一体的に繋がっている。２本の軸５３ｂと橋部５３ｄからなる構成体は、Ｙ軸方向に対称な形状を有する。この構成体は、ひじ掛け５３の成形時に、橋部５３ｄと軸５３ｂの上部が平板５３ａの内部にインサートされる。ひじ掛け５４も、ひじ掛け５３と同様に構成される。
【００５７】
組み立て時には、図４に示すようにフィルムユニット３０が支持体４０に嵌め込まれた後、座面枠５１が支持体４０の上部に設置される。続いて、座面枠５１の背面部５１ｂの上端に鍔部５２ａが掛けられることにより、背もたれ５２が座面枠５１に設置される。そして、側面部４１ｂの孔４１ｅに軸５３ｂが通されることにより、ひじ掛け５３が支持体４０に設置され、側面部４１ｂの孔４１ｅに軸５４ｂが通されることにより、ひじ掛け５４が支持体４０に設置される。こうして、図７に示す構成体６０が完成する。
【００５８】
図７は、構成体６０と便座５５の構成を示す斜視図である。なお、図７では、便宜上、フィルムユニット３０の図示が省略されている。
【００５９】
図７を参照して、この状態で背もたれ５２は、ひじ掛け５３、５４に挟まれており、Ｘ軸方向の移動が抑制されている。また、背もたれ５２の凹部５２ｂは、背面部５１ｂの上端に嵌り込んでいるため、前側に倒れ込むことが抑制されている。このように、背もたれ５２は、Ｚ軸方向に容易に取り外し可能であり、且つ、Ｘ軸方向、およびＹ軸方向に移動しないように便座装置１に装着されている。
【００６０】
便座５５は、水平面に平行な水平部５５ａを有し、水平部５５ａのＹ軸正側の端部に、下方向に延びる鍔部５５ｂが形成されている。水平部５５ａには、略中央に便座５５を上下方向に貫通する開口５５ｃが形成されている。開口５５ｃは、Ｙ軸正側が狭く、Ｙ軸負側に向かうに従って広がった略涙型の形状を有する。開口５５ｃのＹ軸正側の端部には、Ｙ軸負側に後退した拡張部５５ｄが延設されている。便座５５のＺ軸負側の面の、Ｙ軸負側の隅には、それぞれ、座面枠５１の係合部５１ｆと係合する凸部が形成されている（図示せず）。
【００６１】
組み立て時には、座面枠５１の凹部５１ｃに対して便座５５が嵌め込まれるように、便座５５が座面枠５１に設置される。これにより、座面枠５１の係合部５１ｆに便座５５の凸部（図示せず）が係合し、便座５５のＹ軸方向へのずれが抑制される。こうして、図８に示す構成体７０が完成する。
【００６２】
図８は、構成体７０とカバー５６と座面インサート板５７の構成を示す斜視図である。図９（ａ）は、カバー５６のＺ軸正側の構成を示す斜視図、図９（ｂ）は、カバー５６のＺ軸負側の構成を示す斜視図である。なお、図８では、便宜上、フィルムユニット３０の図示が省略されている。
【００６３】
図９（ａ）を参照して、カバー５６は、クッション性のある材質で形成されている。カバー５６は、水平面に平行な水平部５６ａを有し、水平部５６ａのＹ軸負側の端部に、下方向に延びる鍔部５６ｂが形成されている。また、図９（ｂ）に示すように、カバー５６の裏面には、座面枠５１の２つの凹部５１ｅ（図５（ａ）参照）に対応する位置に、それぞれ、円形の突起５６ｃが形成されている。
【００６４】
図８に戻り、座面インサート板５７は、略長方形の薄板状の形状を有する。座面インサート板５７のＹ軸正側の隅には、それぞれ、孔５７ａが形成されている。水平部５６ａのＸ軸方向の幅は、座面枠５１のＸ軸方向と略等しく、水平部５６ａのＹ軸方向の幅は、座面枠５１のＹ軸方向の幅よりもやや大きい。座面インサート板５７のＸ軸方向の幅、およびＹ軸方向の幅は、それぞれ、カバー５６の水平部５６ａのＸ軸方向の幅、およびＹ軸方向の幅よりも僅かに小さい。座面インサート板５７は、カバー５６の成形時に、カバー５６の内部にインサートされる。カバー５６には、座面インサート板５７の孔５７ａの位置に突起５６ｃが形成される。
【００６５】
組み立て時には、カバー５６の裏面に形成された突起５６ｃ（図９（ｂ）参照）を座面枠５１の凹部５１ｅに嵌め込むようにして、座面枠５１の水平部５１ａと便座５５にカバー５６が載置される。カバー５６裏面の突起５６ｃ（図９（ｂ）参照）が座面枠５１の凹部５１ｅに嵌り込むことにより、カバー５６のＹ軸方向のずれが抑制される。こうして、図１０に示す便座装置１が完成し、便座装置１の組み立てが終了となる。
【００６６】
このように、座面インサート板５７によりカバー５６が補強されるため、便座５５の開口５５ｃに対するカバー５６の沈み込みを抑制することができる。
【００６７】
図１０は、組み立てが終了した便座装置１の構成を示す斜視図である。
【００６８】
図１０に示す便座装置１では、便座５５の上にカバー５６が載置されているため、使用者がカバー５６の上面に着座して、図１０に示す便座装置１を椅子として使用することも可能である。
【００６９】
使用者が排泄を行う場合、使用者または作業者によりカバー５６が取り外され、図８に示す便座装置１が、図８に示す構成体７０とされる。この状態で、使用者が便座５５の上に着座し排泄を行う。前面部４２ｂの下端がＹ軸負側に後退するように傾いているため、使用者は、膝を直角よりも鋭角に曲げた状態で便座５５の上に着座することができる。排泄の後、スイッチ４３が押されると、フィルムユニット３０が作動し、後述のように、排泄物を収容したフィルムＦに対してシーリングが行われる。このとき、スイッチ４３は、前面部４２ｂに設けられているため、使用者は、容易に、フィルムユニット３０を作動させるためのスイッチ４３を押すことができる。
【００７０】
次に、図１１〜図１３（ｂ）を参照して、フィルムユニット３０のフィルム送り機構１００とシール機構２００の構成について説明する。
【００７１】
図１１は、フィルム送り機構１００とシール機構２００の構成を示す斜視図である。
【００７２】
図１１を参照して、フィルム送り機構１００は、モータ１０１と、シャフト１０２と、４つのローラ１０３と、多数のギアを含む機構部を備えている。また、シール機構２００は、モータ２０１と、シャフト２０２と、２つのシャフト２１１と、２つのバネ２１２と、加熱機構２２０と、圧着機構２３０と、引き剥がし機構２４０と、多数のギアを含む機構部を備えている。
【００７３】
モータ１０１の駆動力は、多数のギアを介して、Ｘ軸負側の２つのローラ１０３に伝えられる。これら２つのローラ１０３は、互いに接する部分が共に下方向に向かうように回転される。すなわち、２つのローラ１０３は、回転方向が互いに反対となるように駆動される。また、モータ１０１の駆動力は、シャフト１０２と多数のギアを介して、Ｘ軸正側の２つのローラ１０３に伝えられる。したがって、モータ１０１が駆動されると、Ｘ軸正側の２つのローラ１０３も駆動される。なお、Ｘ軸正側の２つのローラ１０３の構成は、Ｘ軸負側の２つのローラ１０３の構成と同様である。
【００７４】
互いに接する２つのローラ１０３の間には、フィルムＦの端縁が挟み込まれる。したがって、モータ１０１の駆動力によってローラ１０３が回転されると、Ｘ軸正側の２つのローラ１０３とＸ軸負側の２つのローラ１０３により、フィルムＦが下方向（Ｚ軸負方向）に送られる。
【００７５】
モータ２０１の駆動力は、シャフト２０２と多数のギアを介して、圧着機構２３０のラック２３１ａに伝えられる。ラック２３１ａは、圧着機構２３０のベース２３１に設けられ、ベース２３１は、２つのシャフト２１１によってＹ軸方向に移動可能に支持されている。したがって、モータ２０１が駆動されると、ベース２３１がＹ軸方向に移動される。ベース２３１には、圧着部２３２（図１２（ａ）参照）が設けられている。圧着部２３２は、加熱機構２２０のヒータ２２１（図１２（ａ）参照）と対向し、その表面にフィルムＦを切断するための突条部２３２ａ（図１２（ａ）参照）を備えている（図示せず）。圧着部２３２は、弾性を有し、熱耐性の高い材料から構成されている。突条部２３２ａは、圧着部２３２よりも硬く、Ｘ軸方向に延びるように設けられている。
【００７６】
加熱機構２２０は、ヒータ２２１（図１２（ａ）参照）を備える。ヒータ２２１（図１２（ａ）参照）は、結晶化ガラス等の基材の上に、平面視において蛇行形状の発熱部が設けられた構成となっている。ヒータ２２１（図１２（ａ）参照）の発熱部は、電流を印加することにより発熱し、フィルムＦの下底を形成するための熱圧着と、フィルムＦの切断と、フィルムＦの上部を密封するための熱圧着に用いられる。ヒータ２２１（図１２（ａ）参照）のＹ軸負側の面には、後述するフィルムＦの溶着と切断時にフィルムＦが剥がれ易くなるよう、フッ素加工が施されたテープが貼付される。
【００７７】
引き剥がし機構２４０は、ベース２４１と、ベース２４１のＹ軸負側の面に設置されたゴム２４２（図１２（ａ）参照）とを備えている。ベース２４１は、シャフト２１１によってＹ軸方向に移動可能に支持されている。ベース２４１は、バネ２１２によってＹ軸負方向に付勢され、ストッパー（図示せず）によってＹ軸負側の面が規制されている。したがって、ベース２４１は、バネ２１２の付勢に抗して、所定の範囲だけ、Ｙ軸方向に移動可能である。図１１には、Ｘ軸負側のバネ２１２付近の構成のみが示されているが、Ｘ軸正側のバネ２１２付近の構成もＸ軸負側のバネ２１２付近の構成と同様である。
【００７８】
引き剥がし機構２４０のベース２４１には、Ｙ軸方向に貫通する開口が形成されている。加熱機構２２０のヒータ２２１（図１２（ａ）参照）は、ベース２４１の開口を介して、Ｙ軸負側が開放された状態となっている。これにより、圧着機構２３０がＹ軸正方向に移動されたとき、圧着機構２３０の圧着部２３２（図１２（ａ）参照）と加熱機構２２０のヒータ２２１（図１２（ａ）参照）が当接するようになる。
【００７９】
引き剥がし機構２４０のベース２４１には、ヒータ２２１に対して上側および下側の位置に、それぞれ、Ｙ軸負方向に突出するＵ字状の羽根部２４１ａが形成されている。羽根部２４１ａは、圧着機構２３０のベース２３１がＹ軸負方向に送られることにより、２組のローラ１０３により送られたフィルムＦを束ねてＸ軸方向の広がりを抑制するためのものである。
【００８０】
図１２（ａ）〜図１３（ｂ）は、排泄処理時におけるフィルムユニット３０の動作を説明する図である。図１２（ａ）〜図１３（ｂ）は、フィルムユニット３０をＹ−Ｚ平面に平行な面で切断した断面図である。破線は、Ｘ軸正側の２つのローラ１０３に挟まれた状態のフィルムＦを示している。
【００８１】
図１２（ａ）に示すように、シール動作前の状態では、フィルムＦは、２組のローラ１０３に挟まれており、フィルムＦの底は、ヒータ２２１周辺の高さの位置に位置付けられている。なお、フィルムＦの底は、初期セットアップ時または前回のシール動作時において、密着されている。この状態で、排泄物等がフィルムＦに収容される。
【００８２】
排泄物等がフィルムＦに収容され、その後、シール動作が開始されると、モータ１０１（図１１参照）が駆動され、２組のローラ１０３によりフィルムＦが下方向（Ｚ軸負方向）に送られる。これにより、図１２（ｂ）に示す状態となる。なお、シール動作は、たとえば、排泄後に作業者または使用者がスイッチ４３を介して排泄終了の指示を入力することにより開始される。
【００８３】
ローラ１０３によりフィルムＦが下方向に送られた後、モータ２０１（図１１参照）が駆動され、圧着機構２３０がＹ軸正方向に送られる。これにより、フィルムＦは、引き剥がし機構２４０の羽根部２４１ａによりＸ軸方向の広がりが抑制されながら、Ｙ軸正方向に寄せられる。さらに、圧着部２３２がＹ軸正方向に送られると、圧着部２３２はフィルムＦを介してゴム２４２に当接し、シャフト２１１に配されたバネ２１２の付勢に抗して、引き剥がし機構２４０をＹ軸正方向に押し出す。そして、さらに圧着部２３２がＹ軸正方向に送られると、図１３（ａ）に示すように、圧着部２３２とヒータ２２１が、フィルムＦを介して密着する。
【００８４】
この状態で、ヒータ２２１が駆動され、フィルムＦが溶融される。このとき、ヒータ２２１の上側領域の熱により、次に排泄物等を収容するためのフィルムＦの下底が形成され、ヒータ２２１の下側領域の熱により、排泄物等が収容されたフィルムＦの上部が密封される。さらに、ヒータ２２１の中央部分、すなわち、圧着部２３２の突条部２３２ａによってフィルムＦが押し付けられる部分の熱により、フィルムＦが切断される。
【００８５】
フィルムＦの密封と切断が完了すると、圧着機構２３０がＹ軸負方向に戻される。これにより、圧着部２３２がヒータ２２１とゴム２４２から離れ、引き剥がし機構２４０が、シャフト２１１に配されたバネ２１２により所定幅だけＹ軸負方向に送られる。このとき、圧着部２３２とヒータ２２１により密着されたフィルムＦは、引き剥がし機構２４０により、ヒータ２２１の位置から所定幅だけＹ軸負側に寄せられる。これにより、ヒータ２２１にフィルムＦが貼り付いているような場合でも、フィルムＦがヒータ２２１から引き剥がされる。また、このとき、ローラ１０３によりフィルムＦが上方向に僅かに送られるため、さらに確実にフィルムＦがヒータ２２１から引き剥がされる。こうして、図１３（ｂ）に示すように、密封されたフィルムＦは支持体４０の開口４２ｄ（図４参照）を通って落下する。
【００８６】
排泄処理時の動作が完了すると、フィルムユニット３０は、図１２（ａ）に示す状態に戻る。なお、密封されたフィルムＦが落下する位置に、密封されたフィルムＦを回収するための箱等を設置することにより、作業者は容易に密封されたフィルムＦを回収することができる。
【００８７】
＜実施の形態の効果＞
本実施の形態によれば、以下の効果が奏され得る。
【００８８】
着座時に手すりとして利用可能なひじ掛け５３、５４が便座装置１に設けられているため、使用者は、ひじ掛け５３、５４を持って体を支えながら、便座５５へ移乗することができる。また、便座装置１をベッドに横付けした場合には、ベッド側のひじ掛けを外すことにより、ベッドから便座５５への移乗経路が確保され、使用者は、この移乗経路に沿ってベッドから便座５５へと体を移すことができる。
【００８９】
図１４は、ベッドに横付けされた状態の便座装置１の使用例を示す図である。図１５は、図１４に示す便座装置１をＸ軸方向の中央位置においてＹ−Ｚ平面に平行な平面で切断した断面図である。
【００９０】
図１４を参照して、便座装置１のＸ軸正側がベッドＢに横付けされる場合、Ｘ軸正側のひじ掛け５３が取り外される。これにより、ベッドＢの上面Ｂａから便座５５への移乗経路が確保され、使用者は、Ｘ軸負側のひじ掛け５４の上部を持って体を支えながら、この移乗経路に沿ってベッドから便座５５へと体を移すことができる。このとき、予め、ベッドＢの上面Ｂａの高さとフレーム４１の側面部４１ｂの上面の高さが略同じとなるように、脚４４ａの組み付け位置を調節しておくことにより、使用者は、ベッドから便座５５へと容易に臀部をずらすことができる。
【００９１】
なお、図１４および図１５に示すように、本実施の形態では、ひじ掛け５３、５４を便座装置本体の左右の側面部４１ｂから取り外すと、便座装置本体の上面、すなわち、２つの側面部４１ｂの上面と、座面枠５１の水平部５１ａの上面と、便座５５の上面が、略一つの平面となるよう構成され得る。このように、便座装置本体の上面を起伏のない略一つの平面に構成することにより、使用者が臀部をベッドから便座５５にスライドさせる際に、臀部が便座装置本体の上面の起伏に引っ掛かることがない。よって、使用者は、臀部をスライドさせながら、ベッドから便座装置へと円滑に移乗することができる。
【００９２】
なお、図１４には、便座装置１のＸ軸正側がベッドＢに横付けされる場合の使用例が示されたが、便座装置１のＸ軸負側がベッドＢに横付けされる場合は、Ｘ軸負側のひじ掛け５３が装着されたまま残され、Ｘ軸負側のひじ掛け５４が取り外される。
【００９３】
また、本実施の形態によれば、ひじ掛け５３、５４は、下方に延びる軸５３ｂを備え、便座装置本体側の左右の側面部４１ｂは、軸５３ｂが挿入される孔４１ｅを備え、軸５３ｂを孔４１ｅに挿入することにより、ひじ掛け５３、５４が便座装置本体に装着される。これにより、簡素な構成にて、ひじ掛け５３、５４を容易に着脱することができる。また、孔４１ｅは、Ｚ軸正側の入口に大径部が設けられ、その奥に、小径部が設けられ、小径部は、奥に向かうにつれて徐々に径が小さくなる傾斜面を介して大径部に繋がっている。このため、軸５３ｂ、５４ｂは、径の大きな大径部に挿入されると、傾斜面に案内されて、小径部へと嵌まり込む。孔４１ｅをこのように形成することにより、ひじ掛け５３、５４の装着をより簡便に行うことができる。
【００９４】
また、側面部４１ｂ上面に形成された２つの孔４１ｅは、側面部４１ｂの前後方向（Ｙ軸方向）の中央位置に対して前後方向（Ｙ軸方向）に対称な位置に配置され、ひじ掛け５３に配された２本の軸５３ｂは、平板５３ａの幅方向（Ｙ軸方向）の中央位置に対して幅方向（Ｙ軸方向）に対称な位置に配置されている。ひじ掛け５３は、Ｙ軸方向に対称な形状を有し、且つ、Ｘ軸方向に対称な形状を有する。このため、ひじ掛け５３が表裏逆となるように、２本の軸５３ｂが孔４１ｅに差し込まれた場合にも、便座装置本体に対するひじ掛け５３の相対位置が変わることがない。よって、便座装置本体に対して常に同じ状態でひじ掛け５３を装着することができる。ひじ掛け５４についても同様である。このように、ひじ掛け５３が表裏逆に装着された場合にも、ひじ掛け５３は、常に、図７に示す状態で装着されるため、ひじ掛け５３のＹ軸正側の端縁と、背もたれ５２および背面部５１ｂとの間に隙間が生じることがない。このため、移乗等の際に、この隙間に使用者の体の一部が挟まれることがなく、便座装置１の使用時における使用者の安全を確保することができる。
【００９５】
また、ひじ掛け５３、５４の平板５３ａ、５４ａは、左右の側面部４１ｂの上端部と略同じ幅を有する長方形の不透明部材から構成されているため、使用者が便座５５に着座した状態において、使用者の臀部の左右の部分がひじ掛け５３、５４によって隠される。よって、便座装置１を使用する際の使用者のプライバシーを保護することができる。
【００９６】
また、便座装置１には背もたれ５２が装着され、使用者が便座５５に座った状態において、使用者の周囲が左右のひじ掛け５３、５４と背もたれ５２によって覆われる。このため、使用者が便座５５に着座した状態において、使用者の臀部が、左右と後ろの３方から隠される。これにより、便座装置１を使用する際の使用者のプライバシーをさらに保護することができる。
【００９７】
また、ひじ掛け５３、５４は、弾性を有する素材により構成され、ひじ掛け５３、５４の上部にひじ掛け５３、５４の厚み方向に凹んだ凹部５３ｃ、５４ｃが形成されている。このため、手すりが握りやすく、手すりの着脱が容易になされ得る。また、ひじ掛け５３、５４は、ウレタン等の水が染み込まない素材により構成されるため、ひじ掛け５３、５４を便座装置本体から取り外して容易に洗浄することができる。
【００９８】
＜変更例＞
以上、本発明の実施の形態について説明したが、本発明は、上記実施の形態に何ら制限されるものではなく、本発明の構成例も他に種々の変更が可能である。
【００９９】
たとえば、上記実施の形態では、ひじ掛け５３、５４に、それぞれ、２つの軸５３ｂ、５４ｂが設けられたが、便座装置本体に対してひじ掛け５３、５４を着脱可能とするための構成はこれに限られない。たとえば、ひじ掛け５３、５４にそれぞれ設けられる軸の数は、１つまたは３つ以上でも良い。ひじ掛け５３、５４にそれぞれ設けられる軸が１つの場合、ひじ掛け５３、５４が軸を中心に回転することを防止するための構成を設けることが望ましい。
【０１００】
また、Ｘ軸方向に見たときのひじ掛け５３、５４の輪郭は、長方形に限られるものではなく、台形、半円または半楕円等の他の形状であっても良い。Ｘ軸方向に見たときのひじ掛け５３、５４の輪郭は、移乗の際にひじ掛け５３、５４の上部を掴み易く、且つ、使用者が便座５５に座ったときに使用者の臀部が隠されやすい形状であることが望ましい。
【０１０１】
また、上記実施の形態では、背もたれ５２が背面部５１ｂに対して着脱可能であったが、背もたれ５２は、着脱可能でなくても良く、背面部５１ｂに固定されていても良い。なお、上記実施の形態では、背もたれ５２が背面部５１ｂから取り外されると、背面部５１ｂの開口５１ｇを介して背後から介護者の臀部を拭く等、使用者に対する介助ができる。また、背もたれ５２が省略され、背面部５１ｂ自身が背もたれとされても良い。この場合、少なくとも背面部５１ｂの前面は、クッション性に富んだ材料で覆うことが望ましい。
【０１０２】
また、上記実施の形態では、平板５３ａ、５４ａの上部に断面が円弧状の凹部５３ｃ、５４ｃが設けられたが、凹部５３ｃ、５４ｃの位置および形状はこれに限られない。たとえば、凹部５３ｃ、５４ｃのＹ軸方向の長さは、上記実施の形態のものよりも短くても良く、凹部５３ｃ、５４ｃがＹ軸方向に分断されていても良い。また、凹部５３ｃ、５４ｃは、平板５３ａ、５４ａのＸ軸正負の両面に設けられなくても良く、何れか一方の面のみに設けられても良い。さらには、凹部５３ｃ、５４ｃが平板５３ａ、５４ａに設けられなくても良い。ただし、凹部５３ｃ、５４ｃが設けられた方が、平板５３ａ、５４ａを掴んだときに凹部５３ｃ、５４ｃに指が引っ掛って、ひじ掛け５３、５４の着脱作業が容易となる。凹部５３ｃ、５４ｃは、上記実施の形態のように、平板５３ａ、５４ａを掴んだときに指が掛かりやすい位置に設けることが望ましい。
【０１０３】
また、上記実施の形態では、水平部５１ａと背面部５１ｂが座面枠５１に一体的に設けられたが、これらが別体であっても良く、たとえば、背面部５１ｂを構成する部材が、支持体４０に取り付けられても良く、支持体４０に一体的に設けられても良い。
【０１０４】
また、上記実施の形態では、便座５５が座面枠５１の水平部５１ａに装着されることにより座面部が構成されたが、座面部の構成形態はこれに限られない。たとえば、予め、座面枠５１に便座５５が一体的に設けられていても良い。
【０１０５】
ところで、図１４に示すように、ひじ掛け５３が取り外されると、支持体４０の側面部４１ｂには、ひじ掛け５３、５４の軸５３ｂ、５４ｂを挿入させるための孔４１ｅが露出する。したがって、便座装置１がベッドＢに横付けされ、使用者が便座装置１からベッドＢに乗り移る際に、指が孔４１ｅに嵌り込むことが起こり得る。
【０１０６】
そこで、指が孔４１ｅに嵌り込むことを防止するため、便座装置１に孔４１ｅを塞ぐための孔塞ぎ部材が設けられていても良い。
【０１０７】
図１６は、変更例に係る便座装置１の構成を示す斜視図である。なお、図１６に示す便座装置１は、Ｘ軸正側のひじ掛け５３が取り外されている。
【０１０８】
図１６を参照して、支持体４０の側面部４１ｂのＺ軸正側の面には、凹部３０１が形成されている。凹部３０１は、角が面取りされた略長方形状を有する。凹部３０１のＹ軸正側、且つ、Ｘ軸負側の角には、切り欠き３０１ａが形成されている。切り欠き３０１ａのＸ軸方向の幅は、凹部３０１のＸ軸方向の幅よりもやや大きい。凹部３０１には、Ｚ軸正方向から平板３０２が載置される。平板３０２は、凹部３０１と同様に、角が面取りされた略長方形状を有する。平板３０２の外径は、凹部３０１の内径よりも僅かに小さい。平板３０２の厚みは、凹部３０１の厚みと略同じである。平板３０２には、Ｙ軸負側の端部の近傍と、Ｙ軸正側の端部からややＹ軸負側に進んだ位置に、それぞれ、軸孔３０２ａが形成されている。Ｙ軸負側に配された軸孔３０２ａの方が、Ｙ軸正側に配された軸孔３０２ａよりも平板３０２の中心から離れた位置に配されている。すなわち、２つの軸孔３０２ａは、それぞれ、平板３０２の中心から異なる距離だけ離れた位置に配されている。なお、図１６では、便宜上、Ｘ軸正側の側面部４１ｂに形成された凹部３０１と平板３０２が示されたが、Ｘ軸負側の側面部４１ｂにも同様の凹部と平板が設けられている。
【０１０９】
図１７は、ひじ掛け５３を装着する際の平板３０２の設置状況を示す図である。
【０１１０】
図１７を参照して、ひじ掛け５３（図８参照）を装着する際には、軸孔３０２ａが側面部４１ｂの孔４１ｅに整合するように、平板３０２が凹部３０１に載置される。この状態で、平板３０２のＺ軸負側の面は、側面部４１ｂのＺ軸負側の面と略同一平面上に位置付けられる。また、平板３０２は、凹部３０１に嵌り込み、Ｘ軸方向、Ｙ軸方向の移動が抑制されている。
【０１１１】
図１８は、使用者がベッドＢに乗り移る際の平板３０２の設置状況を示す図である。
【０１１２】
図１８を参照して、使用者がベッドＢに乗り移る際には、平板３０２が裏返しにされて、凹部３０１に載置される。この状態で、平板３０２の軸孔３０２ａの位置は、側面部４１ｂの孔４１ｅ（図１６参照）の位置とずれており、孔４１ｅ（図１６参照）は、平板３０２によって塞がれる。
【０１１３】
本変更例の構成によれば、孔４１ｅが平板３０２によって塞がれるため、使用者は、指が孔４１ｅ（図１６参照）に嵌り込むことなく、円滑にベッドＢに乗り移ることができる。
【０１１４】
また、凹部３０１が設けられていることにより、平板３０２のＺ軸正側の面は、側面部４１ｂのＺ軸正側の面と略同一平面上に位置付けられている。これにより、平板３０２の厚みによる凹凸の発生が抑制され、使用者は、違和感なく円滑にベッドＢに乗り移ることができる。
【０１１５】
また、凹部３０１の角には、切り欠き３０１ａが設けられているため、使用者は、指を切り欠き３０１ａに挿し込むことによって、容易に平板３０２を凹部３０１から取り外すことができる。
【０１１６】
本変更例では、平板３０２により孔４１ｅが塞がれたが、その他の部材により孔４１ｅが塞がれても良い。
【０１１７】
図１９に示す便座装置１では、平板３０２に代えて、孔４１ｅを塞ぐキャップ３０３が設けられている。
【０１１８】
本変更例によっても孔４１ｅがキャップ３０３によって塞がれるため、指が孔４１ｅに嵌り込むことを抑制することができる。
【０１１９】
本変更例の場合、側面部４１ｂのＺ軸正側の面に凹部を設ける必要がないため、凹凸の発生を抑制することができる。
【０１２０】
また、本変更例の場合、キャップ３０３を設けるだけで良いので、安価な構成によって孔４１ｅを塞ぐことができる。
【０１２１】
なお、本変更例の場合、キャップ３０３は小さく、ひじ掛け５３、５４を装着時に取り外す必要があるため、キャップ３０３を紛失する可能性が高い。また、図１６に示す変更例に比べ、キャップ３０３は、孔４１ｅから外しにくい。したがって、部材の紛失の可能性を抑えつつ、部材の取り外しを容易にするためには、図１６に示す変更例の方が望ましい。
【０１２２】
図２０（ａ）、（ｂ）および図２１に示す便座装置１では、孔４１ｅを塞ぐスライド板３０４が設けられている。
【０１２３】
スライド板３０４は、凹部３０５に嵌め込まれている。スライド板３０４のＹ軸方向の幅は、凹部３０５のＹ軸方向の幅よりも狭く、スライド板３０４のＸ軸方向の幅は、凹部３０５のＸ軸方向の幅よりも僅かに狭い。スライド板３０４は、凹部３０５に沿って、Ｙ軸方向に移動可能となっている。スライド板３０４には、２つの軸孔３０４ａと、２つの孔３０４ｂが形成されている。Ｙ軸負側に配された軸孔３０４ａの方が、Ｙ軸正側に配された軸孔３０４ａよりもスライド板３０４の中心から離れた位置に配されている。図２０（ｂ）に示すように凹部３０５には、Ｚ軸正側に突出するストッパー３０５ａが形成されている。図２０（ａ）に示す状態で、スライド板３０４のＹ軸負側の孔３０４ｂにストッパー３０５ａが係合する。これにより、スライド板３０４のＹ軸方向の移動が規制される。この状態で、ひじ掛け５３（図８参照）が軸孔３０４ａを介して、側面部４１ｂの孔４１ｅに挿入される。
【０１２４】
図２１に示すように、使用者がベッドＢに乗り移る際は、スライド板３０４が少し持ち上げられ、ストッパー３０５ａと孔３０４ｂの係合状態が解除されてから、スライド板３０４がＹ軸負側に移動される。スライド板３０４のＹ軸負側の端部が凹部３０５に当接した状態で、ストッパー３０５ａがスライド板３０４のＹ軸正側の孔３０４ｂに係合する。これにより、スライド板３０４のＹ軸方向の移動が規制される。また、この状態で、スライド板３０４の軸孔３０４ａの位置は、側面部４１ｂの孔４１ｅ（図２０（ａ）参照）の位置とずれており、孔４１ｅ（図２０（ａ）参照）は、スライド板３０４によって塞がれる。
【０１２５】
本変更例の構成によれば、孔４１ｅ（図２０（ａ）参照）がスライド板３０４によって塞がれるため、使用者は、指が孔４１ｅ（図２０（ａ）参照）に嵌り込むことなく、円滑にベッドＢに乗り移ることができる。
【０１２６】
また、スライド板３０４は、ひじ掛け５３、５４を装着時にも取り外す必要がないため、部材の紛失の可能性を抑えることができる。
【０１２７】
なお、本変更例の場合、図１６に示す変更例に比べ凹部３０５のＹ軸方向の幅が大きくなる。また、スライド板３０４をスライドさせるスペースを設けるため、側面部４１ｂのＺ軸正側の面に対して凹凸が生じることとなる。さらには、凹部３０５にストッパー３０５ａを設ける必要になり、図１６に示す変更例に比べ、構成がやや複雑となる。したがって、構成を簡素にしつつ、側面部４１ｂの凹凸を減らすためには、図１６に示す変更例の方が望ましい。
【０１２８】
なお、本変更例では、スライド板３０４は、Ｚ軸方向に取り外し可能なように構成されたが、凹部３０５の側面にＹ軸方向とわずかにＺ軸方向に動かせる溝が設けられ、Ｙ軸方向にのみ移動可能なように構成されても良い。こうすると、スライド板３０４を紛失する可能性を抑えることができる。
【０１２９】
図２２（ａ）、（ｂ）および図２３に示す便座装置１では、側面部４１ｂ内に収容可能な平板３０６が設けられている。
【０１３０】
図２２（ａ）を参照して、平板３０６は、略長方形状を有し、側面の下部に軸３０６ａが設けられている。側面部４１ｂのＺ軸正側の面には、凹部３０７が形成されている。図１５に示す変更例と同様に、凹部３０７の角には、切り欠き３０７ａが形成されている。凹部３０７のＸ軸負側には、Ｚ軸負方向に延びる収納溝３０７ｂが形成されている。図２２（ｂ）は、収納溝３０７ｂに平板３０６が収納された状態の断面を示す模式図である。収納溝３０７ｂは、平板３０６を収容可能な大きさを有し、収納溝３０７ｂの側面には、それぞれ、平板３０６の軸３０６ａを通すための長孔３０７ｃが形成されている。長孔３０７ｃは、Ｚ軸方向に延びており、平板３０６の軸３０６ａをＺ軸方向に案内する。平板３０６がＺ軸正方向に引き出された後、軸３０６ａの周りに回転されると、図２３に示すように、凹部３０７の孔４１ｅ（図２２（ａ）参照）が、平板３０６によって塞がれる。
【０１３１】
本変更例の構成によれば、孔４１ｅ（図２２（ａ）参照）が平板３０６によって塞がれるため、使用者は、指が孔４１ｅ（図２２（ａ）参照）に嵌り込むことなく、円滑にベッドＢに乗り移ることができる。
【０１３２】
また、本変更例の場合、図１６に示す変更例に比べ凹部３０５のＹ軸方向の幅を小さく抑えることができる。
【０１３３】
また、平板３０６には、軸孔が設けられないため、側面部４１ｂのＺ軸正側の面に対する凹凸の発生を抑制することができる。
【０１３４】
また、図２２（ｂ）に示すように、平板３０６を収納溝３０７ｂに収納することができ、ひじ掛け５３、５４を装着時にも取り外す必要がないため、平板３０６を紛失する可能性を抑えることができる。
【０１３５】
なお、本変更例の場合、図１６に示す変更例に比べ部品形状が複雑となるため、製造コストが嵩みやすい。したがって、構成を簡素にし、製造コストを抑えるためには、図１６に示す変更例の方が望ましい。
【０１３６】
図２４ないし図２６に示す便座装置１では、孔４１ｅを塞ぐＬ字部材３０８が設けられている。
【０１３７】
図２４を参照して、Ｌ字部材３０８は、２つの軸孔３０８ａが形成された孔部３０８ｂと平板部３０８ｃからなる。側面部４１ｂには、凹部３０９が形成されている。図１６に示す変更例と同様に、凹部３０９の角には、切り欠き３０９ａが形成されている。凹部３０９のＸ軸負側には、溝３０９ｂが形成されている。
【０１３８】
図２５に示すように平板部３０８ｃを溝３０９ｂに挿し込むことにより、側面部４１ｂの孔４１ｅは、Ｌ字部材３０８の軸孔３０８ａが整合する。この状態で、ひじ掛け５３（図８参照）が軸孔３０４ａを介して、側面部４１ｂの孔４１ｅに挿入される。
【０１３９】
図２６に示すように孔部３０８ｂを溝３０９ｂに挿し込むことにより、平板部３０８ｃによって、孔４１ｅ（図２４参照）が塞がれる。
【０１４０】
本変更例の構成によれば、孔４１ｅ（図２４参照）がＬ字部材３０８の平板部３０８ｃによって塞がれるため、使用者は、指が孔４１ｅ（図２４参照）に嵌り込むことなく、円滑にベッドＢに乗り移ることができる。
【０１４１】
本変更例の場合、図１６に示す変更例に比べ凹部３０５のＹ軸方向の幅を小さく抑えることができる。
【０１４２】
また、平板部３０８ｃには、軸孔が設けられないため、側面部４１ｂのＺ軸正側の面に対する凹凸の発生を抑制することができる。
【０１４３】
また、Ｌ字部材３０８の孔部３０８ｂ、または平板部３０８ｃが凹部３０９の溝３０９ｂに挿し込まれているため、使用時にＬ字部材３０８が外れることを抑制することができる。
【０１４４】
なお、本変更例の場合、図１６に示す変更例に比べ部品形状が複雑となるため、製造コストが嵩みやすい。また、使用時にＬ字部材３０８が外れにくい反面、使用者がＬ字部材３０８を外したい場面においても、Ｌ字部材３０８がやや外しにくくなる。したがって、構成を簡素にし、且つ、部材を外しやすくするためには、図１６に示す変更例の方が望ましい。
【０１４５】
なお、上記の変更例では、軸孔３０２ａ、３０４ａ、３０８ａは略円形状であったが、その他の形状であっても良い。たとえば、Ｕ字状であっても良いし、方形状であっても良い。軸孔３０２ａ、３０４ａ、３０８ａは、軸５３ｂを通すことができれば良く、軸孔３０２ａ、３０４ａ、３０８ａの形状は適宜変更され得る。
【０１４６】
また、図１６に示す変更例では、側面部４１ｂに形成された凹部３０１に切り欠き３０１ａが形成されたが、図２７（ａ）に示すように、平板３０２のＹ軸正側の端部に切り欠き３０２ｂが設けられていても良いし、図２７（ｂ）に示すように、平板３０２のＸ軸正側の端部に切り欠き３０２ｃが設けられていても良い。この他、切り欠きの形状、大きさ、場所は適宜変更され得る。なお、図２２に示す切り欠き３０７ａ、図２４に示す切り欠き３０９ａについても、同様に形状、大きさ、場所が変更され得る。
【０１４７】
この他、本発明の実施の形態は、特許請求の範囲に示された技術的思想の範囲内において、適宜、種々の変更が可能である。
【符号の説明】
【０１４８】
１  …  便座装置（フィルム密封式便座装置）
３０  …  フィルムユニット
４０  …  支持体
５２  …  背もたれ
５３、５４  …  ひじ掛け（手すり）
５３ｂ  …  軸
５３ｃ  …  凹部
５５  …  便座（便座部）
５５ｃ  …  開口
３０２  …  平板（孔塞ぎ部材）
３０３  …  キャップ（孔塞ぎ部材）
３０４  …  スライド板（孔塞ぎ部材）
３０６  …  平板（孔塞ぎ部材）
３０８  …  Ｌ字部材（孔塞ぎ部材）
３０１、３０５、３０７、３０９  …  凹部
３０１ａ、３０７ａ、３０９ａ  …  切り欠き
３０２ａ、３０４ａ、３０８ａ  …  軸孔
Ｆ  …  フィルム
【図１】
2015198899.tif 000003
【図２】
2015198899.tif 000004
【図３】
2015198899.tif 000005
【図４】
2015198899.tif 000006
【図５】
2015198899.tif 000007
【図６】
2015198899.tif 000008
【図７】
2015198899.tif 000009
【図８】
2015198899.tif 000010
【図９】
2015198899.tif 000011
【図１０】
2015198899.tif 000012
【図１１】
2015198899.tif 000013
【図１２】
2015198899.tif 000014
【図１３】
2015198899.tif 000015
【図１４】
2015198899.tif 000016
【図１５】
2015198899.tif 000017
【図１６】
2015198899.tif 000018
【図１７】
2015198899.tif 000019
【図１８】
2015198899.tif 000020
【図１９】
2015198899.tif 000021
【図２０】
2015198899.tif 000022
【図２１】
2015198899.tif 000023
【図２２】
2015198899.tif 000024
【図２３】
2015198899.tif 000025
【図２４】
2015198899.tif 000026
【図２５】
2015198899.tif 000027
【図２６】
2015198899.tif 000028
【図２７】
2015198899.tif 000029